(57)【要約】【課題】本発明は、端末機のメッセンジャー制御装置及び方法を提供する。【解決手段】端末機のメッセンジャー制御装置は、ディスプレイと、制御部とを有し、上記制御部は、複数のチャットフレーズの各々に対する位置を示すインデックス情報を用いて上記複数のチャットフレーズを管理し、特定のチャットフレーズに対する答弁フレーズが送信される場合に、上記特定のチャットフレーズのインデックス情報と関連した上記答弁フレーズのインデックス情報を生成し、上記答弁フレーズが受信された後にユーザにより‘答弁フレーズのビュー’が選択される場合に、上記特定のチャットフレーズのインデックス情報に基づいて上記特定のチャットフレーズが表示される位置領域を検出し、上記検出した位置領域に移動し、上記特定のチャットフレーズ及び上記答弁フレーズを表示するように制御する。【選択図】図７
2014160467.tif 000002
【特許請求の範囲】
【請求項１】
端末機のメッセンジャー制御装置であって、
メッセンジャーチャットウィンドーの複数のチャットフレーズの内の特定のチャットフレーズに対する返答（以下、答弁という）フレーズを表示するディスプレイと、
前記メッセンジャーチャットウィンドーの表示領域に表示されていない特定のチャットフレーズに対する答弁フレーズを受信する場合に、前記答弁フレーズの受信をユーザに通知し、ユーザにより‘答弁フレーズのビュー’が選択される場合に、前記特定のチャットフレーズが表示される位置領域に移動し、前記特定のチャットフレーズ及び前記答弁フレーズを表示するように制御する制御部とを有し、
前記制御部は、
前記複数のチャットフレーズの各々に対する位置を示すインデックス情報を用いて前記複数のチャットフレーズを管理し、
前記特定のチャットフレーズに対する答弁フレーズを受信した場合に、前記特定のチャットフレーズのインデックス情報と関連した前記答弁フレーズのインデックス情報を生成し、
前記答弁フレーズが受信した後にユーザにより前記‘答弁フレーズのビュー’が選択される場合に、前記特定のチャットフレーズのインデックス情報に基づいて前記特定のチャットフレーズが表示される位置領域を検出し、前記検出した位置領域に移動し、前記特定のチャットフレーズ及び前記答弁フレーズを表示するように制御することを特徴とする端末機のメッセンジャー制御装置。
【請求項２】
前記インデックス情報は、チャットフレーズ又は答弁フレーズが送受信された時刻に関する情報及び複数のチャットフレーズの各々が送受信された時刻順に与えられる特定の値の内の少なくとも１つを含むことを特徴とする請求項１に記載の端末機のメッセンジャー制御装置。
【請求項３】
前記制御部は、前記答弁フレーズの受信をユーザに通知する時に、前記答弁フレーズの受信個数をともに表示し、ユーザにより前記‘答弁フレーズのビュー’が選択される度に答弁フレーズの受信個数を減少させるように制御することを特徴とする請求項１に記載の端末機のメッセンジャー制御装置。
【請求項４】
前記制御部は、ユーザにより前記‘答弁フレーズのビュー’が選択される場合に、前記特定のチャットフレーズと前記答弁フレーズとを含むポップアップウィンドーを表示するように制御することを特徴とする請求項１に記載の端末機のメッセンジャー制御装置。
【請求項５】
前記制御部は、ユーザにより前記‘答弁フレーズのビュー’が選択される場合に、前記メッセンジャーチャットウィンドーにおいて、前記特定のチャットフレーズ、前記答弁フレーズ、及び前記特定のチャットフレーズの前後のチャットフレーズをイメージによりキャプチャーし、前記キャプチャーしたイメージを前記ポップアップウィンドーとして表示するように制御することを特徴とする請求項４に記載の端末機のメッセンジャー制御装置。
【請求項６】
前記制御部は、前記ポップアップウィンドーにおいて、前記特定のチャットフレーズ及び前記答弁フレーズを表示する時に、ユーザにより‘メッセンジャーチャットウィンドーの表示’が選択される場合に、前記特定のチャットフレーズが表示される位置領域に移動し、前記特定のチャットフレーズ及び前記答弁フレーズを表示し、前記ポップアップウィンドーにおいて、前記特定のチャットフレーズ及び前記答弁フレーズを表示する時、ユーザにより‘次の答弁フレーズの表示’が選択される場合に、次に受信した特定のチャットフレーズ及び答弁フレーズを表示するように制御することを特徴とする請求項４に記載の端末機のメッセンジャー制御装置。
【請求項７】
前記制御部は、前記特定のチャットフレーズ、前記特定のチャットフレーズのインデックス情報、及び答弁フレーズを含むメッセンジャー情報を受信する時に、前記インデックス情報に基づいて前記メッセンジャーチャットウィンドーの複数のチャットフレーズの内の前記特定のチャットフレーズの位置を検出し、前記検出した特定のチャットフレーズの位置に近接した位置に前記答弁フレーズを表示するように制御することを特徴とする請求項１に記載の端末機のメッセンジャー制御装置。
【請求項８】
前記制御部は、前記メッセンジャーチャットウィンドーの複数のチャットフレーズの内の特定のチャットフレーズに対する答弁フレーズが入力される場合に、前記特定のチャットフレーズの近くの位置に前記入力された答弁フレーズを表示し、前記特定のチャットフレーズ、前記特定のチャットフレーズのインデックス情報、前記特定のチャットフレーズに対する答弁フレーズ、及び相手端末機の電話番号を含むメッセンジャー情報を前記相手端末機に送信するように制御することを特徴とする請求項１に記載の端末機のメッセンジャー制御装置。
【請求項９】
端末機のメッセンジャー制御装置であって、
メッセンジャーチャットウィンドーの複数のチャットフレーズの内から削除されている特定のチャットフレーズ及び前記削除されている特定のチャットフレーズに対する答弁フレーズを表示するディスプレイと、
前記メッセンジャーチャットウィンドーの特定のチャットフレーズに対する答弁フレーズが受信された時に、前記メッセンジャーチャットウィンドーの複数のチャットフレーズの内から前記答弁フレーズと関連した特定のチャットフレーズが削除されている場合に、
前記答弁フレーズを含む受信されたメッセンジャー情報から前記削除されている特定のチャットフレーズを検出し、前記メッセンジャーチャットウィンドーに前記検出した削除されている特定のチャットフレーズ及び前記答弁フレーズを表示するように制御する制御部と、
を有することを特徴とする端末機のメッセンジャー制御装置。
【請求項１０】
前記制御部は、前記特定のチャットフレーズの削除を示す特定の値を含む受信確認信号を前記相手端末機に送信し、前記削除されている特定のチャットフレーズの関連イメージを前記相手端末機から受信する場合に、前記削除されている特定のチャットフレーズ、前記答弁フレーズ、及び前記削除されている特定のチャットフレーズの前後のチャットフレーズを含む前記イメージをポップアップウィンドーとして表示するように制御することを特徴とする請求項９に記載の端末機のメッセンジャー制御装置。
【請求項１１】
前記制御部は、前記メッセンジャーチャットウィンドーの最後の位置に前記検出した削除されている特定のチャットフレーズ及び前記答弁フレーズを表示し、前記メッセンジャーチャットウィンドーに前記検出した削除されている特定のチャットフレーズ及び前記答弁フレーズを表示する時に、前記検出した削除されている特定のチャットフレーズが削除されている特定のチャットであることを示すために他のチャットフレーズと識別できるように表示するように制御することを特徴とする請求項９に記載の端末機のメッセンジャー制御装置。
【請求項１２】
前記メッセンジャー情報は、前記削除されている特定のチャットフレーズ、前記削除されている特定のチャットフレーズのインデックス情報、及び前記答弁フレーズを含むことを特徴とする請求項９に記載の端末機のメッセンジャー制御装置。
【請求項１３】
前記制御部は、前記メッセンジャーチャットウィンドーの複数のチャットフレーズの内から削除されている特定のチャットフレーズに対する答弁フレーズが入力される場合に、前記削除されている特定のチャットフレーズの近くの位置に前記入力された答弁フレーズを表示し、前記削除されている特定のチャットフレーズ、前記削除されている特定のチャットフレーズのインデックス情報、前記削除されている特定のチャットフレーズに対する答弁フレーズ、及び相手端末機の電話番号を含むメッセンジャー情報を相手端末機に送信し、前記削除されている特定のチャットフレーズの削除を示す特定の値を含む受信確認信号を前記相手端末機が受信する場合に、前記削除されている特定のチャットフレーズ、前記削除されている特定のチャットフレーズに対する答弁フレーズ、及び前記削除されている特定のチャットフレーズの前後のチャットフレーズをキャプチャーすることにより得られたイメージを受信確認信号を受信した端末機が受信確認信号を送信してきた端末機に送信するように制御することを特徴とする請求項９に記載の端末機のメッセンジャー制御装置。
【請求項１４】
端末機のメッセンジャー制御方法であって、
メッセンジャーチャットウィンドーの表示領域に表示されていない特定のチャットフレーズに対する答弁フレーズを受信する場合に、前記答弁フレーズの受信をユーザに通知するステップと、
ユーザにより‘答弁フレーズのビュー’が選択される場合に、前記特定のチャットフレーズが表示される位置領域に移動し、前記特定のチャットフレーズ及び前記答弁フレーズを表示するステップとを有し、
前記複数のチャットフレーズの各々に対する位置を示すインデックス情報を用いて前記複数のチャットフレーズを管理し、
前記特定のチャットフレーズに対する答弁フレーズが送信された場合に、前記特定のチャットフレーズのインデックス情報と関連した前記答弁フレーズのインデックス情報を生成し、
前記答弁フレーズが受信された後にユーザにより前記‘答弁フレーズのビュー’が選択される場合に、前記特定のチャットフレーズのインデックス情報に基づいて前記特定のチャットフレーズが表示される位置領域を検出し、前記検出した位置領域に移動し、前記特定のチャットフレーズ及び前記答弁フレーズを表示することを特徴とする端末機のメッセンジャー制御方法。
【請求項１５】
前記インデックス情報は、チャットフレーズ又は答弁フレーズが送受信された時刻に関する情報及び複数のチャットフレーズの各々が送受信された時刻順に与えられる特定の値の内の少なくとも１つを含むことを特徴とする請求項１４に記載の端末機のメッセンジャー制御方法。
【請求項１６】
前記答弁フレーズの受信を通知するステップは、
前記答弁フレーズの受信を通知する時に、前記答弁フレーズの受信個数をともにユーザに表示するステップと、
ユーザにより前記‘答弁フレーズのビュー’が選択される度に前記答弁フレーズの受信個数を減少させるステップとをさらに有することを特徴とする請求項１４に記載の端末機のメッセンジャー制御方法。
【請求項１７】
ユーザにより前記‘答弁フレーズのビュー’が選択される場合に、前記特定のチャットフレーズと前記答弁フレーズとを含むポップアップウィンドーを表示するステップをさらに有することを特徴とする請求項１４に記載の端末機のメッセンジャー制御方法。
【請求項１８】
ユーザにより前記‘答弁フレーズのビュー’が選択される場合に、前記メッセンジャーチャットウィンドーにおいて、前記特定のチャットフレーズ、前記答弁フレーズ、及び前記特定のチャットフレーズの前後のチャットフレーズをイメージによりキャプチャーするステップと、
前記キャプチャーしたイメージを前記ポップアップウィンドーとして表示するステップとをさらに有することを特徴とする請求項１４に記載の端末機のメッセンジャー制御方法。
【請求項１９】
前記ポップアップウィンドーにおいて、前記特定のチャットフレーズ及び前記答弁フレーズを表示する時に、ユーザにより‘メッセンジャーチャットウィンドーの表示’が選択される場合に、前記特定のチャットフレーズが表示される位置領域に移動し、前記特定のチャットフレーズ及び前記答弁フレーズを表示するステップと、
前記ポップアップウィンドーにおいて、前記特定のチャットフレーズ及び前記答弁フレーズを表示する時に、ユーザにより‘次の答弁フレーズの表示’が選択される場合に、前記ポップアップウィンドーにおいて、次に受信された特定のチャットフレーズ及び答弁フレーズを表示するステップとをさらに有することを特徴とする請求項１７に記載の端末機のメッセンジャー制御方法。
【請求項２０】
前記特定のチャットフレーズ、前記特定のチャットフレーズのインデックス情報、及び答弁フレーズを含むメッセンジャー情報を受信する場合に、前記インデックス情報に基づいて前記メッセンジャーチャットウィンドーの複数のチャットフレーズの内に前記特定のチャットフレーズの位置を検出するステップと、
前記検出した特定のチャットフレーズの位置に近接した位置に前記答弁フレーズを表示するステップとをさらに有することを特徴とする請求項１４に記載の端末機のメッセンジャー制御方法。
【請求項２１】
前記メッセンジャーチャットウィンドーの複数のチャットフレーズの内の特定のチャットフレーズに対する答弁フレーズが入力される場合に、前記特定のチャットフレーズの近くの位置に前記入力された答弁フレーズを表示するステップと、
前記特定のチャットフレーズ、前記特定のチャットフレーズのインデックス情報、前記特定のチャットフレーズに対する答弁フレーズ、及び相手端末機の電話番号を含むメッセンジャー情報を前記相手端末機に送信するステップとをさらに有することを特徴とする請求項１４に記載の端末機のメッセンジャー制御方法。
【請求項２２】
端末機のメッセンジャー制御方法であって、
メッセンジャーチャットウィンドーの特定のチャットフレーズに対する答弁フレーズが受信される時に、前記メッセンジャーチャットウィンドーの複数のチャットフレーズの内から前記答弁フレーズと関連した特定のチャットフレーズが削除されている場合に、前記答弁フレーズを含む受信されたメッセンジャー情報から前記削除されている特定のチャットフレーズを検出するステップと、
前記メッセンジャーチャットウィンドーに前記検出した削除されている特定のチャットフレーズ及び前記答弁フレーズを表示するステップと、
を有することを特徴とする端末機のメッセンジャー制御方法。
【請求項２３】
前記特定のチャットフレーズの削除を示す特定の値を含む受信確認信号を前記相手端末機に送信するステップと、
前記削除されている特定のチャットフレーズの関連イメージを前記相手端末機から受信する場合に、前記削除されている特定のチャットフレーズ、前記答弁フレーズ、及び前記削除されている特定のチャットフレーズの前後のチャットフレーズを含む前記イメージをポップアップウィンドーとして表示するステップとをさらに有することを特徴とする請求項２２に記載の端末機のメッセンジャー制御方法。
【請求項２４】
前記答弁フレーズを表示するステップは、
前記メッセンジャーチャットウィンドーの最後の位置に前記検出した削除されている特定のチャットフレーズ及び前記答弁フレーズを表示するステップを含み、
前記メッセンジャーチャットウィンドーに前記検出した削除されている特定のチャットフレーズ及び前記答弁フレーズを表示する時に、前記検出した削除されている特定のチャットフレーズが削除されているチャットであることを示すために他のチャットフレーズと識別できるように表示することを特徴とする請求項２２に記載の端末機のメッセンジャー制御方法。
【請求項２５】
前記メッセンジャー情報は、前記削除されている特定のチャットフレーズ、前記削除されている特定のチャットフレーズのインデックス情報、及び前記答弁フレーズを含むことを特徴とする請求項２２に記載の端末機のメッセンジャー制御方法。
【請求項２６】
前記メッセンジャーチャットウィンドーの複数のチャットフレーズの内の特定のチャットフレーズに対する答弁フレーズが入力される場合に、前記特定のチャットフレーズの近くの位置に前記入力された答弁フレーズを表示するステップと、
前記特定のチャットフレーズ、前記特定のチャットフレーズのインデックス情報、前記特定のチャットフレーズに対する答弁フレーズ、及び相手端末機の電話番号を含むメッセンジャー情報を相手端末機に送信するステップと、
前記メッセンジャー情報を受信した端末機は、前記特定のチャットフレーズの削除を示す特定の値を含む受信確認信号を受信した場合に、前記特定のチャットフレーズ、前記特定のチャットフレーズに対する答弁フレーズ、及び前記特定のチャットフレーズの前後のチャットフレーズをキャプチャーすることにより得られたイメージを受信確認信号を送信してきた端末機に送信するステップとをさらに有することを特徴とする請求項２２に記載の端末機のメッセンジャー制御方法。
【発明の詳細な説明】
【技術分野】
【０００１】
本発明は、端末機のメッセンジャー制御装置及び方法に係り、より詳しくは、ユーザがメッセンジャーチャットウィンドーの複数のチャットフレーズの内の特定のチャットフレーズに選択的に返答（以下、答弁という）できる端末機のメッセンジャー制御装置及び方法に関する。
【背景技術】
【０００２】
移動通信サービスとインターネットサービスとの結合により、ユーザは、移動する間にも端末機を通してインターネットに無線により接続し、各種インターネット情報及びＥメールを検索するだけではなく、音楽及び映像のような様々なマルチメディアコンテンツを使用できる。また、このような技術的な進歩に基づいて、有線インターネットにおいて使用されるインスタントメッセンジャー（Ｉｎｓｔａｎｔ  Ｍｅｓｓｅｎｇｅｒ）サービスは、端末機を使用する時に無線インターネットを通しても提供されている。
【０００３】
メッセンジャーチャットが端末機においてリアルタイムで実行される場合に、メッセンジャーを通したチャットフレーズは、送受信された時刻順にメッセンジャーチャットウィンドーに表示される。
しかしながら、メッセンジャーを通したチャットフレーズが送受信された時刻順に表示される場合に、相手端末機から連続して複数の質問が受信され、端末機のユーザが答弁をする時に、相手端末機のユーザは、端末機のユーザが入力した答弁がどの質問に対する答弁であるかを把握することが難しい。
【０００４】
図１は、従来技術による第２の端末機Ｂにより実行されるメッセンジャー動作を示す図である。
【０００５】
図１を参照すると、メッセンジャーチャットウィンドーの左側には、相手端末機である第１の端末機Ａから受信されるチャットフレーズが表示され、メッセンジャーチャットウィンドーの右側には、第２の端末機Ｂにより入力されたチャットフレーズが表示される。
【０００６】
図１に示すように、第１の端末機Ａから継続して４個のチャットフレーズを受信した後に、第２の端末機Ｂのユーザが１つのチャットフレーズを入力する場合に、第１の端末機Ａのユーザは、第２の端末機Ｂにより入力された１つのチャットフレーズが４個のチャットの内のどのチャットフレーズに対する答弁であるかを把握することが難しい。
【０００７】
したがって、第２の端末機Ｂのユーザは、４個のチャットフレーズの内のどのチャットフレーズに対する答弁であるかを入力しつつ答弁を作成しなければならないという煩わしさがあった。
【先行技術文献】
【特許文献】
【０００８】
【特許文献１】韓国特許公開公報２０１０−００６３８３８号
【発明の概要】
【発明が解決しようとする課題】
【０００９】
本発明は、上述した従来技術の問題点を解決するために提案されたものであり、その目的は、ユーザがメッセンジャーチャットウィンドーの複数のチャットフレーズの内の特定のチャットフレーズに対して選択的に答弁できるようにする端末機のメッセンジャー制御装置及び方法を提供することにある。
【００１０】
本発明の他の目的は、メッセンジャーチャットウィンドーの現在の領域において表示されていない特定のチャットフレーズに対する答弁フレーズを受信する時に、特定のチャットフレーズ及び答弁フレーズが表示される位置に移動することにより、ユーザが表示されたフレーズを確認するか又は読み出しできるようにする端末機のメッセンジャー制御装置及び方法を提供することにある。
【００１１】
本発明のまた他の目的は、メッセンジャーチャットウィンドーから削除されている特定のチャットフレーズに対する答弁フレーズを受信する時に、前記削除されている特定のチャットフレーズ及び答弁フレーズを表示し、相手端末機に特定のチャットフレーズの削除を通知できる端末機のメッセンジャー制御装置及び方法を提供することにある。
【課題を解決するための手段】
【００１２】
上記のような目的を達成するために、本発明の一態様によれば、メッセンジャーチャットウィンドーの複数のチャットフレーズの内の特定のチャットフレーズに対する答弁フレーズを表示するディスプレイと、上記メッセンジャーチャットウィンドーの表示領域に表示されていない特定のチャットフレーズに対する答弁フレーズを受信する場合に、上記答弁フレーズの受信をユーザに通知し、ユーザにより‘答弁フレーズのビュー’が選択される場合に、上記特定のチャットフレーズが表示される位置領域に移動し、上記特定のチャットフレーズ及び上記答弁フレーズを表示するように制御する制御部とを有し、上記制御部は、上記複数のチャットフレーズの各々に対する位置を示すインデックス情報を用いて上記複数のチャットフレーズを管理し、上記特定のチャットフレーズに対する答弁フレーズを受信した場合に、上記特定のチャットフレーズのインデックス情報と関連した上記答弁フレーズのインデックス情報を生成し、上記答弁フレーズが受信された後にユーザにより上記‘答弁フレーズのビュー’が選択される場合に、上記特定のチャットフレーズのインデックス情報に基づいて上記特定のチャットフレーズが表示される位置領域を検出し、上記検出した位置領域に移動し、上記特定のチャットフレーズ及び上記答弁フレーズを表示するように制御することを特徴とする。
【００１３】
本発明の他の態様によれば、端末機のメッセンジャー制御装置は、メッセンジャーチャットウィンドーの複数のチャットフレーズの内から削除されている特定のチャットフレーズ及び上記削除されている特定のチャットフレーズに対する答弁フレーズを表示するディスプレイと、上記メッセンジャーチャットウィンドーの特定のチャットフレーズに対する答弁フレーズが受信された時に、上記メッセンジャーチャットウィンドーの複数のチャットフレーズの内から上記答弁フレーズと関連した特定のチャットフレーズが削除されている場合に、上記答弁フレーズを含む受信されたメッセンジャー情報から上記削除されている特定のチャットフレーズを検出し、上記メッセンジャーチャットウィンドーに上記検出した削除されている特定のチャットフレーズ及び上記答弁フレーズを表示するように制御する制御部とを有することを特徴とする。
【００１４】
本発明のさらに他の態様によれば、端末機のメッセンジャー制御方法は、メッセンジャーチャットウィンドーの表示領域に表示されていない特定のチャットフレーズに対する答弁フレーズを受信する場合に、上記答弁フレーズの受信をユーザに通知するステップと、ユーザにより‘答弁フレーズのビュー’が選択される場合に、上記特定のチャットフレーズが表示される位置領域に移動し、上記特定のチャットフレーズ及び上記答弁フレーズを表示するステップとを有し、上記複数のチャットフレーズの各々に対する位置を示すインデックス情報を用いて上記複数のチャットフレーズを管理し、上記特定のチャットフレーズに対する答弁フレーズが送信される場合に、上記特定のチャットフレーズのインデックス情報と関連した上記答弁フレーズのインデックス情報を生成し、上記答弁フレーズが受信された後にユーザにより上記‘答弁フレーズのビュー’が選択される場合に、上記特定のチャットフレーズのインデックス情報に基づいて上記特定のチャットフレーズが表示される位置領域を検出し、上記検出した位置領域に移動し、上記特定のチャットフレーズ及び上記答弁フレーズを表示することを特徴とする。
【００１５】
本発明のさらなる他の態様によれば、端末機のメッセンジャー制御方法は、メッセンジャーチャットウィンドーの特定のチャットフレーズに対する答弁フレーズが受信される時に、上記メッセンジャーチャットウィンドーの複数のチャットフレーズの内から上記答弁フレーズと関連した特定のチャットフレーズが削除されている場合に、上記答弁フレーズを含む受信されたメッセンジャー情報から上記削除されている特定のチャットフレーズを検出するステップと、上記メッセンジャーチャットウィンドーに上記検出した削除されている特定のチャットフレーズ及び上記答弁フレーズを表示するステップとを有することを特徴とする。
【発明の効果】
【００１６】
本発明による端末機のメッセンジャー制御装置及び方法は、ユーザがメッセンジャーチャットウィンドーの複数のチャットフレーズに対して選択的に答弁できるようにし、メッセンジャーチャットウィンドーの現在の領域に表示されていない特定のチャットフレーズ及び答弁フレーズを即座に確認できるようにするという長所がある。また、メッセンジャーチャットウィンドーの複数のチャットフレーズから削除されている特定のチャットフレーズに対する答弁フレーズを受信する時に、端末機は、前記削除されている特定のチャットフレーズとともに答弁フレーズを表示できるという長所がある。
【図面の簡単な説明】
【００１７】
【図１】従来技術による第２の端末機により実行されるメッセンジャー動作を示す図である。
【図２】本発明の実施形態による端末機の構成を示す図である。
【図３】本発明の実施形態による端末機においてメッセンジャーチャットウィンドーの複数のチャットフレーズの内の特定のチャットフレーズに対する答弁フレーズの入力及び送信を実行する過程を示すフローチャートである。
【図４】（Ａ）、（Ｂ）は本発明の実施形態による第２の端末機のディスプレイに表示されるメッセンジャーチャットウィンドーを示す図である。
【図５】（Ａ）、（Ｂ）は本発明の実施形態による第２の端末機のディスプレイに表示されるメッセンジャーチャットウィンドーの例を示す図である。
【図６】（Ａ）、（Ｂ）は  本発明の実施形態による第１の端末機のディスプレイに表示されるメッセンジャーチャットウィンドーを示す図である。
【図７】本発明の実施形態による端末機においてメッセンジャーチャットウィンドーの現在の領域に表示されていない特定のチャットフレーズに対する答弁フレーズを受信して処理する過程を示すフローチャートである。
【図８】本発明の実施形態による端末機においてメッセンジャーチャットウィンドーの現在の領域に表示されていない特定のチャットフレーズに対する答弁フレーズを受信して処理する過程を示すフローチャートである。
【図９】本発明の実施形態による端末機においてメッセンジャーチャットウィンドーの複数のチャットフレーズの内から削除されている特定のチャットフレーズに対する答弁フレーズを受信して処理する過程を示すフローチャートである。
【図１０】（Ａ），（Ｂ）は本発明の実施形態による第２の端末機のディスプレイに表示されるメッセンジャーチャットウィンドーを示す図である。
【図１１】（Ａ）、（Ｂ）は本発明の実施形態による第２の端末機のディスプレイに表示されるメッセンジャーチャットウィンドーを示す図である。
【図１２】本発明の実施形態による第１の端末機のディスプレイに表示されるメッセンジャーチャットウィンドーを示す図である。
【図１３】（Ａ）、（Ｂ）は本発明の実施形態による第１の端末機のディスプレイに表示されるメッセンジャーチャットウィンドーを示す図である。
【図１４】本発明の実施形態による第１の端末機のディスプレイに表示されるメッセンジャーチャットウィンドーを示す図である。
【図１５】（Ａ），（Ｂ）は本発明の実施形態による第１の端末機のディスプレイに表示されるメッセンジャーチャットウィンドーを示す図である。
【発明を実施するための形態】
【００１８】
本発明の実施形態及び他の様相、特徴、及び利点は、以下の添付図面を参照した後述の詳細な説明から、より一層明らかになるだろう。
【００１９】
本発明の様々な実施形態を、添付の図面を参照して詳細に説明する。添付の図面を参照した下記の説明は、特許請求の範囲の記載及びこれと均等なものの範囲内において定められる本発明の実施形態の包括的な理解を助けるために提供されるものであり、この理解を助けるために様々な特定の詳細な説明を含むが、単なる一つの実施形態に過ぎない。従って、本発明の範囲及び趣旨を逸脱することなく、ここに説明する実施形態の様々な変更及び修正が可能であることは、当該技術分野における通常の知識を有する者には明らかである。また、明瞭性と簡潔性の観点から、当業者に良く知られている機能や構成に関する具体的な説明は、省略する。
【００２０】
以下の説明及び請求項に使用する用語及び単語は、辞典的意味に限定されるものではなく、本発明の理解を明確且つ一貫性があるようにするために使用する。従って、本発明の実施形態の説明は単に実例を提供するためのものであって、特許請求の範囲とこれと均等なものに基づいて定義される発明を限定する目的により提供するものでないことは、本発明の技術分野における通常の知識を持つ者には明らかである。
【００２１】
本願明細書に記載の各要素は、文脈中に特に明示しない限り、複数形を含むことは、当業者には理解できるものである。したがって、例えば、“コンポーネント表面（ａ  ｃｏｍｐｏｎｅｎｔ  ｓｕｒｆａｃｅ）”との記載は、１つ又は複数の表面を含む。
【００２２】
本発明の実施形態による端末機は、携帯端末機と固定端末機とを含む。用語‘携帯端末機’は、運びやすい電子機器であり、画像電話機、携帯電話、スマートフォン、広帯域符号分割多重接続（ＷＣＤＭＡ（登録商標））端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）端末機、電子ブック（ｅ−ｂｏｏｋ）リーダ、携帯用コンピュータ（例えば、ノートブック又はタブレット）、及びディジタルカメラなどを含む。固定端末機は、デスクトップパーソナルコンピュータ（ＰＣ）などを含む。
【００２３】
図２は、本発明の実施形態による端末機の構成を示す図である。
図２を参照すると、無線周波数（ＲＦ）部１２３は、端末機の無線通信機能を実行する。ＲＦ部１２３は、送信信号の周波数をアップコンバートし、このアップコンバートされた送信信号を増幅するＲＦ送信器と、受信された信号を低雑音増幅し、低雑音増幅した受信信号の周波数をダウンコンバートするＲＦ受信器とを含む。データ処理部１２０は、この送信信号の符号化及び変調を行う送信器及びこの受信された信号の復調及び復号化を行う受信器とを含む。言い換えれば、データ処理部１２０は、変調器／復調器（ＭＯＤＥＭ）及び符号化器／復号化器（ＣＯＤＥＣ）により構成される。コーデックは、パケットデータなどを処理するデータコーデックと音声のようなオーディオ信号を処理するオーディオコーデックとを含む。オーディオ処理部１２５は、スピーカＳＰＫを用いてデータ処理部１２０におけるオーディオコーデックから出力される受信オーディオ信号を再生し、マイクロフォンＭＩＣにより発生される送信オーディオ信号をデータ処理部１２０におけるオーディオコーデックに転送する。
【００２４】
キー入力部１２７は、数字及び文字情報を入力するためのキー及び各種機能を設定するための機能キーを含む。
【００２５】
メモリ１３０は、プログラムメモリ及びデータメモリにより構成される。プログラムメモリは、メッセンジャーチャットウィンドーの表示領域において表示されない特定のチャットフレーズに対する答弁フレーズを受信する時に、特定のチャットフレーズ及びその答弁フレーズが表示される位置に移動することにより、ユーザがこの表示されたフレーズを確認するか又は読み出しできるようにする制御プログラムを記憶する。また、プログラムメモリは、メッセンジャーチャットウィンドーから削除されている特定のチャットフレーズに対する答弁フレーズを受信する時に、前記削除されている特定のチャットフレーズ及び答弁フレーズを表示し、相手端末機に特定のチャットフレーズの削除を通知する制御プログラムを記憶する。また、データメモリは、プログラムを実行する間に発生するデータを一時的に記憶する。
【００２６】
制御部１１０は、端末機の全般的な動作を制御する。
本発明の実施形態に従って、メッセンジャーチャットウィンドーの表示領域に表示されていない特定のチャットフレーズに対する答弁フレーズを受信する時に、制御部１１０は、答弁フレーズの受信を通知し、‘答弁フレーズのビュー’が選択される場合に、特定のチャットフレーズの位置に移動し、メッセンジャーチャットウィンドーの表示領域に特定のチャットフレーズ及び答弁フレーズを表示するように制御する。
【００２７】
メッセンジャーチャットウィンドーは、ディスプレイ１６０の制限されたサイズにより、存在するチャットフレーズが表示される表示領域と、存在するチャットフレーズが表示されない非表示領域とに区分される。したがって、答弁フレーズと関連した特定のチャットフレーズが非表示領域に存在する時に‘答弁フレーズのビュー’が選択される場合に、制御部１１０は、非表示領域の特定のチャットフレーズを表示される位置領域に移動することにより、特定のチャットフレーズ及び答弁フレーズを表示する。答弁フレーズは、特定のチャットフレーズに近接した位置、例えば、特定のチャットフレーズの上側、下側、左側、又は右側に表示される。
【００２８】
本発明の実施形態においては、答弁フレーズが特定のチャットフレーズの下側に表示されると仮定する。
【００２９】
制御部１１０は、メッセンジャーチャットウィンドーにおける複数のチャットフレーズをインデックス情報を用いて管理する。
【００３０】
インデックス情報は、複数のチャットフレーズの各々に対する位置を示す情報を意味し、インデックス情報においてチャットフレーズ又は答弁フレーズが送受信された時刻に関する情報、及び／又は複数のチャットフレーズが送受信される時刻の順序に基づいて与えられる特定の値を使用する。
【００３１】
まず、チャットフレーズ又は答弁フレーズが送受信された時刻に関する情報をインデックス情報として使用する場合に、チャットフレーズのインデックス情報は、‘チャットフレーズが送受信された時刻’であり、答弁フレーズのインデックス情報は、‘（答弁フレーズと関連した特定のチャットフレーズが送受信された時刻）＋（答弁フレーズが送受信された時刻）’として使用される。
【００３２】
例えば、端末機において第１のチャットフレーズが作成された後に、第１のチャットフレーズは、送信ボタンが入力されると、端末機のメッセンジャーチャットウィンドーに表示され、メッセンジャーを実行する相手端末機に送信される。この時、第１のチャットフレーズが送信された時刻（例えば、０９：００：００）が第１のチャットフレーズのインデックス情報として生成される。
【００３３】
第２のチャットフレーズが端末機において相手方端末機から受信された場合に、第２のチャットフレーズが受信された時刻（例えば、１０：００：０１）が第２のチャットフレーズのインデックス情報として生成される。
【００３４】
端末機において相手方端末機から第１のチャットフレーズに対する第１の答弁フレーズが受信された場合に、‘第１のチャットフレーズのインデックス情報（例えば、０９：００：００）及び第１の答弁フレーズが受信された時刻（例えば、０９：３０：０２）’が第１の答弁フレーズのインデックス情報として生成される。
【００３５】
端末機において第２のチャットフレーズに対する第２の答弁フレーズが作成された後に送信ボタンが入力されて相手方端末機に送信された場合に、‘第２のチャットフレーズのインデックス情報（例えば、１０：００：００）と第２の答弁フレーズが送信された時刻（例えば、１０：３０：０２）が第２の答弁フレーズのインデックス情報として生成される。
【００３６】
言い換えれば、チャットフレーズのインデックス情報は、‘チャットフレーズが送受信された時刻’を示し、答弁フレーズのインデックス情報は、‘（答弁フレーズと関連した特定のチャットフレーズが送受信された時刻）＋（答弁フレーズが送受信された時刻）’を示す。
【００３７】
また、答弁フレーズに対する第１の答弁フレーズが送受信された場合に、答弁フレーズに対する第１の答弁フレーズのインデックス情報は、‘（答弁フレーズと関連した特定のチャットフレーズが送受信された時刻）＋（答弁フレーズが送受信された時刻）＋（第１の答弁フレーズが送受信された時刻）’を示す。
【００３８】
複数のチャットフレーズのそれぞれが送受信された時刻順に与えられる特定の値がインデックス情報として使用される場合に、特定の値（例えば、数字）は、メッセンジャーチャットウィンドーにおいて送受信された時刻の順序にメッセンジャーチャットウィンドーに表示される複数のチャットフレーズのそれぞれに与えられる。
【００３９】
例えば、１０個のチャットフレーズが送信ボタンの入力後に端末機において表示される場合に、送信された順序に１乃至１０の特定の値がチャットフレーズのそれぞれに順次に与えられる。また、相手方端末機から受信された９個のチャットフレーズがメッセンジャーチャットウィンドーの他側に表示される場合に、受信された順序に１乃至９の特定の値がチャットフレーズのそれぞれに順次に与えられる。  
【００４０】
そして、端末機において、端末機の１０個のチャットフレーズの内のインデックス情報‘３’が与えられた第３のチャットフレーズに対する答弁フレーズが相手方端末機から受信された場合に、‘３−１’のインデックス情報が、答弁フレーズに与えられる。また、‘３−１’のインデックス情報を有する答弁フレーズに対する第１の答弁フレーズが受信された場合に、‘３−１−１’のインデックス情報が、第１の答弁フレーズに与えられる。
【００４１】
同様に、端末機において相手方端末機の９個のチャットフレーズの内のインデックス情報‘２’が与えられた第２のチャットフレーズに対する答弁フレーズが作成された後に、送信ボタンが入力される場合に、‘２−１’のインデックス情報が、答弁フレーズに与えられる。また、‘２−１’のインデックス情報を有する答弁フレーズに対する第１の答弁フレーズが送信された場合に、‘２−１−１’のインデックス情報が、第１の答弁フレーズに与えられる。
【００４２】
本発明の実施形態おいては、複数のチャットフレーズが送受信された時刻順に与えられる特定の値をインデックス情報として使用すると仮定する。
【００４３】
したがって、特定のチャットフレーズに対する答弁フレーズが受信された後に‘答弁フレーズのビュー’が選択される場合に、制御部１１０は、特定のチャットフレーズのインデックス情報に基づいて特定のチャットフレーズが表示される位置領域を検出し、この検出した位置領域に移動し、特定のチャットフレーズ及び答弁フレーズを表示する。
【００４４】
答弁フレーズを受信すると、制御部１１０は、答弁フレーズの受信を通知し、受信された答弁フレーズの個数を表示し、‘答弁フレーズのビュー’が選択される度に答弁フレーズの受信個数を減少させて表示するように制御する。答弁フレーズの受信は、アイコンの表示及び／又は振動などの様々な方法により通知される。
【００４５】
本発明の実施形態においては、制御部１１０がアイコンを表示することにより答弁フレーズの受信を通知すると仮定する。したがって、制御部１１０は、アイコンが選択される度に答弁フレーズの受信個数を減少させて表示するように制御する。
【００４６】
‘答弁フレーズのビュー’が選択される場合に、制御部１１０は、特定のチャットフレーズ及びこの特定のチャットフレーズの下側に表示される答弁フレーズを含むポップアップウィンドーを表示するように制御する。
【００４７】
‘答弁フレーズのビュー’が選択される場合に、制御部１１０は、メッセンジャーチャットウィンドーにおいて特定のチャットフレーズ、特定のチャットフレーズに対する答弁フレーズ、及び特定のチャットフレーズの前後のチャットフレーズをイメージによりキャプチャーし、このキャプチャーされたイメージをポップアップウィンドーとして表示するように制御する。
【００４８】
ポップアップウィンドーにおいて特定のチャットフレーズ及び特定のチャットフレーズの下側に表示される答弁フレーズを表示する時に、‘ディスプレイメッセンジャーチャットウィンドー’が選択される場合に、制御部１１０は、メッセンジャーチャットウィンドーにおいて特定のチャットフレーズが位置する領域に移動し、この特定のチャットフレーズ及び答弁フレーズを表示するように制御する。
【００４９】
ポップアップウィンドーにおいて特定のチャットフレーズ及び特定のチャットフレーズの下側に表示される答弁フレーズを表示する時に‘次の答弁’が選択される場合に、制御部１１０は、ポップアップウィンドーにおいて次に受信される特定のチャットフレーズ及び答弁フレーズを表示するように制御する。
【００５０】
特定のチャットフレーズ、メッセンジャーチャットウィンドーにおける特定のチャットフレーズのインデックス情報、及び答弁フレーズを含むメッセンジャー情報を受信する場合に、制御部１１０は、特定のチャットフレーズのインデックス情報に基づいてメッセンジャーチャットウィンドーの複数のチャットフレーズの内の特定のチャットフレーズが表示される位置領域を検出し、この検出した特定のチャットフレーズの下側に答弁フレーズを表示するように制御する。
【００５１】
メッセンジャーチャットウィンドーにおける複数のチャットフレーズの内の特定のチャットフレーズに対する答弁フレーズが入力された場合に、制御部１１０は、この入力された答弁フレーズを特定のチャットフレーズの下側に表示する。同時に、制御部１１０は、特定のチャットフレーズ、この特定のチャットフレーズのインデックス情報、この特定のチャットフレーズに対する答弁フレーズ、及び相手端末機の電話番号を含むメッセンジャー情報を相手端末機に送信するように制御する。
【００５２】
メッセンジャーチャットウィンドーにおいて特定のチャットフレーズに対する答弁フレーズが受信された場合に、メッセンジャーチャットウィンドーにおける複数のチャットフレーズの内からこの答弁フレーズと関連した特定のチャットフレーズが削除されている状態であれば、制御部１１０は、答弁フレーズを含む相手端末機から受信されたメッセンジャー情報に基づいて前記削除されている特定のチャットフレーズを検出し、メッセンジャーチャットウィンドーに前記検出した削除されている特定のチャットフレーズ及びこの答弁フレーズを表示するように制御する。メッセンジャー情報は、特定のチャットフレーズ、この特定のチャットフレーズのインデックス情報、及びこの特定のチャットフレーズに対する答弁フレーズを含む。
【００５３】
この時に、制御部１１０は、前記検出した削除されている特定のチャットフレーズ及び答弁フレーズをメッセンジャーチャットウィンドーの最後の位置に表示するように制御する。
【００５４】
前記検出した削除されている特定のチャットフレーズ及び答弁フレーズをメッセンジャーチャットウィンドーに表示する場合に、制御部１１０は、前記検出した削除されている特定のチャットフレーズが他のチャットフレーズと識別できるようにすることにより、前記検出した削除されている特定のチャットフレーズが削除されているフレーズであることを示す。
【００５５】
制御部１１０は、特定のチャットフレーズが削除されていることを示す特定の値を含む受信確認信号（ＡＣＫ）を相手端末機に送信する。制御部１１０は、前記削除されている特定のチャットフレーズの関連イメージを相手端末機から受信する場合に、制御部１１０は、前記削除されている特定のチャットフレーズ、答弁フレーズ、及び前記削除されている特定のチャットフレーズの前後のフレーズを含むイメージをポップアップウィンドーとして表示するように制御する。
【００５６】
メッセンジャーチャットウィンドーの複数のチャットフレーズの内の特定のチャットフレーズに対する答弁フレーズが入力された場合に、制御部１１０は、この入力された答弁フレーズを特定のチャットフレーズの下側に表示する。同時に、制御部１１０は、特定のチャットフレーズ、この特定のチャットフレーズのインデックス情報、特定のチャットフレーズに対する答弁フレーズ、及び相手端末機の電話番号を含むメッセンジャー情報を相手端末機に送信する。
【００５７】
特定のチャットフレーズがメッセンジャーチャットウィンドーから削除されていることを示す特定の値を含む受信確認信号を相手端末機から受信する場合に、制御部１１０は、相手端末機において削除されている特定のチャットフレーズ、相手端末機において削除されている特定のチャットフレーズの答弁フレーズ、及び相手端末機において削除されている特定のチャットフレーズの前後のフレーズをキャプチャーすることにより得られたイメージを相手端末機に送信するように制御する。
【００５８】
カメラ部１４０は、画像データを光学的に撮影し、この光学的に撮影された画像信号を電気画像信号に変換するカメラセンサと、カメラセンサにより撮影されたアナログ画像信号をディジタル画像データに変換する信号処理部とを含む。ここで、カメラセンサは、電荷結合素子（Ｃｈａｒｇｅ−Ｃｏｕｐｌｅｄ  Ｄｅｖｉｃｅ、ＣＣＤ）又は相補型金属酸化物半導体（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）センサと仮定し、信号処理部は、ディジタル信号処理部（Ｄｉｇｉｔａｌ  Ｓｉｇｎａｌ  Ｐｒｏｃｅｓｓｏｒ、ＤＳＰ）により実現できる。カメラセンサ及び信号処理部は、一体型又は分離型により実現できる。
【００５９】
画像処理部１５０は、カメラ部１４０から出力される画像信号をディスプレイ１６０上に表示するためのイメージ信号プロセッシング（Ｉｍａｇｅ  Ｓｉｇｎａｌ  Ｐｒｏｃｅｓｓｉｎｇ、ＩＳＰ）を実行し、ＩＳＰは、ガンマ補正、補間、空間的変化、イメージ効果、イメージスケーリング、自動ホワイトバランス（Ａｕｔｏｍａｔｉｃ  Ｗｈｉｔｅ  Ｂａｌａｎｃｅ、ＡＷＢ）、自動露出（Ａｕｔｏｍａｔｉｃ  Ｅｘｐｏｓｕｒｅ、ＡＥ）、及び自動焦点（Ａｕｔｏｍａｔｉｃ  Ｆｏｃｕｓｉｎｇ、ＡＦ）などの機能を実行する。
【００６０】
したがって、画像処理部１５０は、カメラ部１４０から出力される画像信号をフレーム単位で処理し、フレーム単位の画像データをディスプレイ１６０の特性及びサイズに従って出力する。画像処理部１５０は、ビデオコーデック（ｖｉｄｅｏ  ｃｏｄｅｃ）を含み、ディスプレイ１６０上に表示されるフレーム画像データを予め設定されたコーディング（ｃｏｄｉｎｇ）により圧縮し、圧縮したフレーム画像データを元来のフレーム画像データに復元する。ここで、ビデオコーデックは、ＪＰＥＧコーデック、ＭＰＥＧ４コーデック、ウェーブレット（Ｗａｖｅｌｅｔ）コーデックなどを含む。画像処理部１５０がオンスクリーンディスプレイ（Ｏｎ−Ｓｃｒｅｅｎ  Ｄｉｓｐｌａｙ、ＯＳＤ）機能を含むと仮定すると、制御部１１０は、データが表示される画面のサイズに従ってＯＳＤデータを出力するように画像処理部１５０を制御する。
【００６１】
ディスプレイ１６０は、画像処理部１５０から出力される画像信号及び制御部１１０から出力されるユーザデータを画面上に表示する。ここで、ディスプレイ１６０は、液晶ディスプレイ（ＬＣＤ）により具現できる。この場合、ディスプレイ１６０は、ＬＣＤ制御部、画像データを保存できるメモリ、及びＬＣＤパネルを含む。ここで、ＬＣＤをタッチスクリーン方式により実現する場合に、ＬＣＤパネルは、入力部として機能し、キー入力部１２７と同一のキーをディスプレイ１６０に表示する。
【００６２】
また、ディスプレイ１６０がタッチスクリーン方式により具現されることにより、タッチスクリーン部として使用される場合に、タッチスクリーン部は、複数のセンサパネルを含むタッチスクリーンパネル（Ｔｏｕｃｈ  Ｓｃｒｅｅｎ  Ｐａｎｅｌ、ＴＳＰ）により構成され、複数のセンサパネルは、指先でのタッチを感知できる静電式センサパネル及びスタイラスペンのようなタッチペンにより微細タッチを感知できる電磁誘導センサパネルを含む。
【００６３】
本発明の実施形態に従って、ディスプレイ１６０は、メッセンジャーチャットウィンドーにおける複数のチャットフレーズの内の特定のチャットフレーズの下側に答弁フレーズを表示する。
【００６４】
ディスプレイ１６０は、メッセンジャーチャットウィンドーの複数のチャットフレーズの内から削除されている特定のチャットフレーズを表示し、前記削除されている特定のチャットフレーズの下側に相手端末機から受信された答弁フレーズを表示する。
【００６５】
端末機においてメッセンジャーチャットウィンドーにおける複数のチャットフレーズに対する答弁フレーズを選択的に提供する動作を図３乃至図１５（Ｂ）を参照して詳細に説明する。
【００６６】
図３は、本発明の実施形態による端末機においてメッセンジャーチャットウィンドーの複数のチャットフレーズの内の特定のチャットフレーズに対する答弁フレーズの入力及び送信を実行する過程を示すフローチャートである。
【００６７】
以下、図２及び図３を参照して本発明の実施形態について詳細に説明する。
図３を参照すると、端末機において特定のメッセンジャーアプリケーションが実行されるメッセンジャーモードであるステップ３０１において、同一のメッセンジャーを実行している相手端末機から受信されるチャットフレーズと端末機において入力されるチャットフレーズとを表示するメッセンジャーチャットウィンドーを表示する。
【００６８】
制御部１１０は、ステップ３０２においてメッセンジャーチャットウィンドーにおいて相手端末機から受信され表示される複数のチャットフレーズの内の‘特定のチャットフレーズに対する答弁の作成’が選択されるか否かを判定する。‘特定のチャットフレーズに対する答弁の作成’が選択されない場合、制御部１１０は、他の機能を実行する。
【００６９】
他方、‘特定のチャットフレーズに対する答弁の作成’が選択される場合に、制御部１１０は、答弁入力モードに転換する。‘特定のチャットフレーズに対する答弁の作成’の選択は、特定のチャットフレーズに対するロングタッチを通じて行われることができる。
【００７０】
ステップ３０３において、答弁フレーズが入力ウィンドーに入力された後に、制御部１１０は、ステップ３０４において送信ボタンが入力されるか否かを判定する。送信ボタンが入力されない場合に、制御部１１０は、他の機能を実行する。他方、送信ボタンが入力される場合に、制御部１１０は、ステップ３０５において、メッセンジャーチャットウィンドーにおいて特定のチャットフレーズの下側にこの入力された答弁フレーズを表示する。同時に、制御部１１０は、特定のチャットフレーズ、この特定のチャットフレーズのインデックス情報、及びこの特定のチャットフレーズに対する答弁フレーズ、及び相手端末機の電話番号を含むメッセンジャー情報をステップ３０６においてサーバを通して相手端末機に送信する。
【００７１】
その後に、制御部１１０は、ステップ３０７において、答弁フレーズの受信を示す受信確認（ＡＣＫ）信号が相手端末機から受信されるか否かを判定する。この受信確認信号を受信すると、制御部１１０は、この受信確認信号に含まれた特定の値をチェックする。他方、答弁フレーズの受信を示す受信確認信号が相手端末機から受信されないと判定する場合に、制御部１１０は、他の機能を実行する。
【００７２】
制御部１１０は、ステップ３０８において、受信確認信号に含まれた特定の値が特定のチャットフレーズが削除されていないことを示す特定の値‘０’であるか否かを判定する。受信確認信号に含まれた特定の値が特定のチャットフレーズが削除されていないことを示す特定の値‘０’である場合に、制御部１１０は、ステップ３１０において、メッセンジャーチャットウィンドーにおいて特定のチャットフレーズの下側に表示された答弁フレーズに相手端末機からの答弁フレーズの受信を示す受信確認を表示する。
【００７３】
制御部１１０は、ステップ３０８において、受信確認信号に含まれた特定の値が特定のチャットフレーズが削除されていることを示す特定の値‘１’であるか否かを判定する。受信確認信号に含まれた特定の値が特定のチャットフレーズが削除されていることを示す特定の値‘１’である場合に、制御部１１０は、ステップ３０９において、特定のチャットフレーズ、この特定のチャットフレーズに対する答弁フレーズ、及びこの特定のチャットフレーズの前後の予め定められたチャットフレーズをキャプチャーすることにより得られたイメージを前記削除されている特定のチャットフレーズの関連イメージとして相手端末機に送信する。
【００７４】
同一のチャットフレーズは、メッセンジャー実行モードにおいて同一のメッセンジャーを実行する少なくとも２つの端末機間のメッセンジャーチャットウィンドーに表示される。しかしながら、複数のチャットフレーズの内の特定のチャットフレーズが２つの端末機の内のいずれか１つにおいてメッセンジャーチャットウィンドーから削除されている場合に、他の端末機は、特定のチャットフレーズの削除を認識できないので、前記削除されている特定のチャットフレーズを他の端末機のメッセンジャーチャットウィンドーにそのまま表示する。
【００７５】
したがって、端末機が特定のチャットフレーズに対する答弁フレーズを送信したが、特定のチャットフレーズが相手端末機においてメッセンジャーチャットウィンドーから削除されていることを認識した場合に、端末機は、前記削除されている特定のチャットフレーズの一定数の前後のチャットフレーズをキャプチャーすることによりイメージを生成し、これを相手端末機に送信することにより、相手端末機のユーザが前後のチャットフレーズを確認し読み出すことにより前記削除されている特定のチャットフレーズに対する答弁フレーズの内容を把握できるようにする。特定のチャットフレーズの削除を通知する相手端末機の動作については、図８を参照して詳細に説明する。
【００７６】
この生成されたイメージを相手端末機においてメッセンジャーチャットウィンドーから削除されている特定のチャットフレーズの関連イメージとして相手端末機に送信した後に、端末機は、ステップ３１０に進む。
【００７７】
図３の動作は、図４（Ａ）乃至図５（Ｂ）、図６（Ａ）及び図６（Ｂ）を参照して例を挙げて説明する。
図４（Ａ）乃至図５（Ｂ）、図６（Ａ）及び図６（Ｂ）は、図２のような同一の構成要素を有する第１の端末機Ａと第２の端末機Ｂとの間において実行されるメッセンジャー動作を示す図である。
【００７８】
図４（Ａ）乃至図５（Ｂ）は、本発明の実施形態による第２の端末機Ｂのディスプレイに表示されるメッセンジャーチャットウィンドーを示す図である。メッセンジャーチャットウィンドーの左側には、相手端末機である第１の端末機Ａから受信されたチャットフレーズが表示され、メッセンジャーチャットウィンドーの右側には、第２の端末機Ｂにより入力されたチャットフレーズが表示される。
【００７９】
図６（Ａ）及び図６（Ｂ）は、第１の端末機Ａのディスプレイに表示されるメッセンジャーチャットウィンドーを示す図である。メッセンジャーチャットウィンドーの左側には、相手端末機である第２の端末機Ｂから受信されたチャットフレーズが表示され、メッセンジャーチャットウィンドーの右側には、第１の端末機Ａにより入力されたチャットフレーズが表示される。
【００８０】
第１の端末機Ａと第２の端末機Ｂとの間においてメッセンジャーを実行する時に、図４（Ａ）に示すように、第１の端末機Ａから受信され表示されている４個のチャットフレーズの内の第３のチャットフレーズ４０１にロングタッチが発生する場合に、使用可能なメニューの種類は、図４（Ｂ）に示すようにポップアップウィンドーに表示される。その中の‘答弁’が選択される場合に、図５（Ａ）に示すように、ロングタッチが発生した第３のチャットフレーズ４０１は、答弁フレーズとして選択されたことを示すようにハイライトされるか又はチャットフレーズのカラーを変更する。また、答弁フレーズを示す単語‘［答弁］’が入力ウィンドーに表示され、第２の端末機Ｂのユーザにより答弁フレーズが作成され、送信ボタンが入力された場合に、答弁フレーズ４０２は、図５（Ｂ）に示すように、ロングタッチが発生した第３のチャットフレーズ４０１の下側に表示される。
【００８１】
送信ボタンの入力に従って、第２の端末機Ｂは、第１のメッセンジャー情報（第３のチャットフレーズ、第３のチャットフレーズのインデックス情報、及び答弁フレーズ、及び第１の端末機Ａの電話番号）を生成し、第１のメッセンジャー情報をサーバに送信し、このサーバは、第１のメッセンジャー情報に含まれた第１の端末機Ａの電話番号を確認し、第１のメッセンジャー情報を第１の端末機Ａに送信する。
【００８２】
図４（Ａ）乃至図５（Ｂ）に示すように、第１の端末機Ａから受信されたすべてのチャットフレーズが４個であると仮定する場合に、メッセンジャー情報に含まれた第３のチャットフレーズのインデックス情報は、‘３’であり、第３のチャットフレーズに対する答弁フレーズのインデックス情報は、‘３−１’である。
【００８３】
第３のチャットフレーズ４０１に対する答弁フレーズが作成され送信ボタンが入力された後に、新たなチャットフレーズ４０３が入力ウィンドーに作成され、送信ボタンが入力される場合に、第２の端末機Ｂは、新たなチャットフレーズ４０３を時刻の順序に基づきメッセンジャーチャットウィンドーの最下側に表示し、第２のメッセンジャー情報（新たなチャットフレーズ及び第１の端末機Ａの電話番号）を生成し、第２のメッセンジャー情報をサーバに送信する。サーバは、第２のメッセンジャー情報に含まれた第１の端末機Ａの電話番号をチェックし、第２のメッセンジャー情報を第１の端末機Ａに送信する。
【００８４】
第１の端末機Ａが図６（Ａ）に示すようなメッセンジャーチャットウィンドーを表示する時に、サーバから第１のメッセンジャー情報を受信する場合に、第１の端末機Ａは、第１のメッセンジャー情報に含まれたチャットフレーズに基づいて第１のメッセンジャー情報が特定のチャットフレーズに対する答弁フレーズであることを判定する。第１のメッセンジャー情報から第３のチャットフレーズ又は第３のチャットフレーズのインデックス情報（‘３’）に基づいて自身のメッセンジャーチャットウィンドーにおいて同一のチャットフレーズ、すなわち、第３のチャットフレーズの位置を検出した後に、第１の端末機Ａは、図６（Ｂ）に示すように、この検出した第３のチャットフレーズの下側に答弁フレーズを表示する。この時に、第１の端末機Ａは、この受信された答弁フレーズのインデックス情報を‘３−１’として生成する。
【００８５】
この後に、第２のメッセンジャー情報をサーバから受信する場合に、第１の端末機Ａは、答弁フレーズが第２のメッセンジャー情報に含まれていないので、時刻の順序に基づいてこのメッセンジャーチャットウィンドーの最下側に第２のメッセンジャー情報に含まれた新たなチャットフレーズ４０３を検出して表示する。
【００８６】
図７及び図８は、本発明の実施形態による端末機においてメッセンジャーチャットウィンドーの現在の領域に表示されていない特定のチャットフレーズに対する答弁フレーズを受信し処理する過程を示すフローチャートである。図９は、本発明の実施形態による端末機においてメッセンジャーチャットウィンドーから削除されている特定のチャットフレーズに対する答弁フレーズを受信し処理する過程を示すフローチャートである。
【００８７】
以下、本発明の実施形態を図２及び図７乃至図９を参照して詳細に説明する。
図７及び図８は、本発明の実施形態によるメッセンジャーチャットウィンドーの表示領域に表示されない特定のチャットフレーズに対する答弁フレーズを受信し処理する過程を示すフローチャートである。
【００８８】
まず、図７を参照すると、端末機において特定のメッセンジャーアプリケーションが実行されるメッセンジャーモードであるステップ６０１において、端末機は、同一のメッセンジャーを実行している相手端末機から受信するチャットフレーズと端末機により入力されるチャットフレーズとを表示するメッセンジャーチャットウィンドーを表示する。
【００８９】
この時に、サーバを介して相手端末機からメッセンジャー情報を受信する場合に、制御部１１０は、ステップ６０２において、答弁フレーズがメッセンジャー情報に存在するか否かを判定する。答弁フレーズがメッセンジャー情報に存在しない場合に、制御部１１０は、他の機能を実行する。他方、答弁フレーズがメッセンジャー情報に存在する場合に、ステップ６０２において、答弁フレーズの受信を感知する。
【００９０】
また、制御部１１０は、ステップ６０３において、メッセンジャー情報に含まれた答弁フレーズと関連した特定のチャットフレーズ及び特定のチャットフレーズのインデックス情報に基づいて、メッセンジャーチャットウィンドーの複数のチャットフレーズの内の答弁フレーズと関連した特定のチャットフレーズが存在するか否かを判定する。
【００９１】
答弁フレーズと関連した特定のチャットフレーズが存在しない場合に、制御部１１０は、以下において詳細に説明する図９のステップ６１５に進む。
【００９２】
他方、答弁フレーズと関連した特定のチャットフレーズが存在する場合に、制御部１１０は、ステップ６０４において、特定のチャットフレーズがメッセンジャーチャットウィンドーの現在の表示領域に存在するか否かを判定する。
【００９３】
特定のチャットフレーズがメッセンジャーチャットウィンドーの表示領域に存在する場合に、制御部１１０は、ステップ６０５において、特定のチャットフレーズの下側にこの受信された答弁フレーズを表示し、この答弁フレーズのインデックス情報を生成する。その後に、制御部１１０は、ステップ６０２に戻る。
【００９４】
しかしながら、特定のチャットフレーズがメッセンジャーチャットウィンドーの表示領域に存在しない場合に、制御部１１０は、メッセンジャーチャットウィンドーの複数のチャットフレーズの内の特定のチャットフレーズが表示される位置領域を検出し、この検出した特定のチャットフレーズの下側に答弁フレーズを表示する。同時に、制御部１１０は、ステップ６０６において、答弁フレーズの受信を通知するようにメッセンジャーチャットウィンドーの特定の領域に特定のアイコンを表示し、また、答弁フレーズの受信個数を表示する。
【００９５】
ステップ６０７において、答弁フレーズの受信を通知するように表示された特定のアイコンが選択されるか否かを判定する。特定のアイコンが選択されない場合に、制御部１１０は、他の機能を実行する。他方、特定のアイコンが選択される場合に、制御部１１０は、ステップ６０８において、‘答弁フレーズの表示’が‘ポップアップウィンドーの表示’として設定されるか否かを判定する。この時に、制御部１１０は、ユーザが答弁フレーズを確認するか又は読み出すためのアイコンを選択する度に表示された答弁フレーズの受信個数を減少させる。
【００９６】
‘答弁フレーズの表示’が‘ポップアップウィンドーの表示’として設定されない場合に、制御部１１０は、ステップ６０９において、特定のチャットフレーズの位置領域に移動し、この特定のチャットフレーズ及びこの特定のチャットフレーズの下側に位置した答弁フレーズを表示する。アイコンの単なる選択に応じて、制御部１１０は、メッセンジャーチャットウィンドーの現在の領域に表示されていないこの受信された答弁フレーズの位置に直接に移動することにより、ユーザがこの受信された答弁フレーズを便利にチェックできるようにする。その後に、制御部１１０は、以下に説明するステップ６１４に進む。
【００９７】
‘答弁フレーズの表示’が‘ポップアップウィンドーの表示’として設定される場合に、制御部１１０は、ステップ６１０において、特定のチャットフレーズ及びこの特定のチャットフレーズの下側に位置する答弁フレーズを含む個別のポップアップウィンドーを表示する。
【００９８】
制御部１１０は、ステップ６１０において、この特定のチャットフレーズ及びこの答弁フレーズだけでなく、この特定のチャットフレーズの前後の所定数のチャットフレーズをキャプチャーすることにより得られたイメージをポップアップウィンドーに表示する。
【００９９】
ユーザがメッセンジャーチャットウィンドーの現在の領域に表示されていないこの受信された答弁フレーズをチェックできるように表示されるポップアップウィンドーに、この特定のチャットフレーズの前後の所定数のチャットフレーズをともに表示することにより、制御部１１０は、ユーザが特定のチャットフレーズを送信した当時のチャット内容を容易にチェックできるようにする。
【０１００】
制御部１１０は、ステップ６１１において、ポップアップウィンドーを表示する時に、ポップアップウィンドーのメニューの内の‘メッセンジャーチャットウィンドーの表示’が選択されるか否かを判定する。‘メッセンジャーチャットウィンドーの表示’が選択される場合に、制御部１１０は、ステップ６０９において、メッセンジャーチャットウィンドーの現在の領域から特定のチャットフレーズの位置領域に移動し、特定のチャットフレーズとこの特定のチャットフレーズの下側に位置した答弁フレーズとをメッセンジャーチャットウィンドーに表示する。
【０１０１】
ポップアップウィンドーを表示する時に、ポップアップウィンドーのメニューの内の‘メッセンジャーチャットウィンドーの表示’が選択されない場合に、制御部１１０は、ステップ６１２において、‘次の答弁フレーズの表示’が選択されるか否か、又は受信した答弁フレーズの内のユーザによりチェックされなかった（すなわち、読み出されなかった）答弁フレーズがあるか否かを判定する。‘次の答弁フレーズの表示’が選択されない場合に、制御部１１０は、他の機能を実行する。
【０１０２】
次の答弁フレーズの表示’が選択されるか又はユーザによりチェックされなかった答弁フレーズがある場合に、制御部１１０は、ステップ６１３において、次に受信される答弁フレーズと関連した特定のチャットフレーズとこの特定のチャットフレーズの下側に位置した答弁フレーズとをポップアップウィンドーに順次に表示する。
【０１０３】
ステップ６１４において、この受信した答弁フレーズがユーザによりチェックされるか又は読み出される度に、制御部１１０は、この答弁フレーズの受信を示す受信確認信号を相手端末機に送信する。制御部１１０は、この受信確認信号をこの受信された答弁フレーズと関連した特定のチャットフレーズがこのメッセンジャーチャットウィンドーの複数のチャットフレーズの内に存在することを示す特定の値‘０’とともに相手端末機に送信する。
【０１０４】
図９は、本発明の実施形態によるメッセンジャーチャットウィンドーの複数のチャットフレーズの内から削除されている特定のチャットフレーズに対する答弁フレーズを受信して処理する過程を示すフローチャートである。
【０１０５】
図９を説明すると、図７のステップ６０３において、相手端末機から受信したメッセンジャー情報に含まれるこの特定のチャットフレーズ又はこの特定のチャットフレーズのインデックス情報がメッセンジャーチャットウィンドーの複数のチャットフレームの内に存在しない場合、すなわち、この特定のチャットフレーズが削除されている場合に、制御部１１０は、ステップ６１５において、このメッセンジャー情報から削除されている特定のチャットフレーズを検出する。
【０１０６】
制御部１１０は、ステップ６１６において、メッセンジャー情報から検出した削除されている特定のチャットフレーズをこのメッセンジャーチャットウィンドーの最下側、すなわち、時刻順序に基づき最後の位置に表示し、メッセンジャー情報から検出した削除されている特定のチャットフレーズの下側に答弁フレーズを表示する。この時に、制御部１１０は、メッセンジャー情報から検出した削除されている特定のチャットフレーズが削除されているチャットフレーズであることを示すように特定のカラーを用いて前記削除されている特定のチャットフレーズを表示する。
【０１０７】
ステップ６１７において、制御部１１０は、答弁フレーズの受信を示す受信確認信号を相手端末機に送信する。制御部１１０は、この受信した答弁フレーズと関連した特定のチャットフレーズがこの受信確認信号をこのメッセンジャーチャットウィンドーの複数のチャットフレーズの内から削除されていることを示す特定の値‘１’とともに相手端末機に送信する。
【０１０８】
この答弁フレーズと関連した特定のチャットフレーズがこのメッセンジャーチャットウィンドーの複数のチャットフレーズの内から削除されていることを示す特定の値‘１’を含む受信確認信号を端末機から受信する時における相手端末機が実行する動作は、図３のステップ３０７乃至ステップ３０９の動作と同一である。
【０１０９】
その後に、ステップ６１８において制御部１１０は、この削除されている特定のチャットフレーズの関連イメージが相手端末機から受信されるか否かを判定する。この削除されている特定のチャットフレーズの関連イメージが相手端末機から受信されない場合に、制御部１１０は、他の機能を実行する。
【０１１０】
この削除されている特定のチャットフレーズの関連イメージが相手端末機から受信される場合に、制御部１１０は、ステップ６１９において、この削除されている特定のチャットフレーズ及びこの答弁フレーズだけではなく、ユーザが削除されている特定のチャットフレーズを送信した当時のチャット内容を容易にチェックできるようにこの削除されている特定のチャットフレーズの前後の所定数のチャットフレーズを個別のポップアップウィンドーに表示する。
【０１１１】
図７乃至図９の動作を図１０（Ａ）乃至図１１（Ｂ）、図１２乃至図１３（Ｂ）、及び図１４乃至図１５（Ｂ）を参照して例を挙げて説明する。
【０１１２】
図１０（Ａ）乃至図１１（Ｂ）、図１２乃至図１３（Ｂ）、及び図１４乃至図１５（Ｂ）は、本発明の実施形態による図２と同一の構成要素を有する第１の端末機Ａと第２の端末機Ｂとの間において実行されるメッセンジャー動作を示す図である。
【０１１３】
図１０（Ａ）乃至図１１（Ｂ）は、本発明の実施形態による第２の端末機Ｂのディスプレイに表示されるメッセンジャーチャットウィンドーを示す図である。メッセンジャーチャットウィンドーの左側には、相手端末機である第１の端末機Ａから受信されたチャットフレーズが表示され、メッセンジャーチャットウィンドーの右側には、第２の端末機Ｂにより入力されたチャットフレーズが表示される。
【０１１４】
図１２乃至図１３（Ｂ）及び図１４乃至図１５（Ｂ）は、本発明の実施形態による第１の端末機Ａのディスプレイに表示されるメッセンジャーチャットウィンドーを示す図である。メッセンジャーチャットウィンドーの左側には、相手端末機である第２の端末機Ｂから受信されたチャットフレーズが表示され、メッセンジャーチャットウィンドーの右側には、第１の端末機Ａにより入力されたチャットフレーズが表示される。
【０１１５】
第１の端末機Ａと第２の端末機Ｂとの間においてメッセンジャーを実行する時に、図１０（Ａ）に示すように、第１の端末機Ａから受信され表示されている４個のチャットフレーズの内の第３のチャットフレーズ７０１がロングタッチされる場合、図１０（Ｂ）に示すようにポップアップウィンドーに使用可能なメニューのタイプが表示される。その中の‘答弁’が選択される場合、図１１（Ａ）に示すように、このロングタッチされた第３のチャットフレーズ７０１は、答弁フレーズとして選択されたことを示すようにハイライトされるか又はチャットフレーズのカラーを変更する。また、答弁フレーズを示す単語‘［答弁］’が入力ウィンドーに表示され、第２の端末機Ｂのユーザにより答弁フレーズが作成され、送信ボタンが入力される場合に、答弁フレーズ７０２は、図１１（Ｂ）に示すように、ロングタッチが発生した第３のチャットフレーズ７０１の下側に表示される。
【０１１６】
送信ボタンの入力に従って、第２の端末機Ｂは、メッセンジャー情報（第３のチャットフレーズ、第３のチャットフレーズのインデックス情報‘３’、答弁フレーズ、及び第１の端末機Ａの電話番号）を生成し、このメッセンジャー情報をサーバに送信し、このサーバは、このメッセンジャー情報に含まれた第１の端末機Ａの電話番号をチェックし、このメッセンジャー情報を第１の端末機Ａに送信する。
【０１１７】
図１０（Ａ）乃至図１１（Ｂ）に示すように、第１の端末機Ａから受信されたすべてのチャットフレーズが４個であると仮定する場合に、メッセンジャー情報に含まれた第３のチャットフレーズのインデックス情報は、‘３’であり、第３のチャットフレーズに対する答弁フレーズのインデックス情報は、‘３−１’である。
【０１１８】
図１２乃至図１３（Ｂ）を参照して、図７におけるように、メッセンジャーチャットウィンドーの現在の領域に表示されない特定のチャットフレーズに対する答弁フレーズを処理する過程について例を挙げて説明する。
【０１１９】
第１の端末機Ａが図１２のメッセンジャーチャットウィンドーを表示する時に、サーバから第２の端末機Ｂの第１のメッセンジャー情報を受信する場合に、第１の端末機Ａは、第１のメッセンジャー情報に含まれた答弁フレーズに基づいて第１のメッセンジャー情報が特定のチャットフレーズに対する答弁フレーズであることを判定する。第１の端末機Ａは、メッセンジャー情報に含まれる第３のチャットフレーズ又は第３のチャットフレーズのインデックス情報に基づいて同一のチャットフレーズ、すなわち、第３のチャットフレーズが自身のメッセンジャーチャットウィンドーに存在するか否かを判定する。
【０１２０】
このメッセンジャー情報に含まれた第３のチャットフレーズがこのメッセンジャーチャットウィンドーの複数のチャットフレーズの内に存在する場合に、第１の端末機Ａは、第３のチャットフレーズが第１の端末機Ａのユーザが見ているメッセンジャーチャットウィンドーの表示領域に表示している複数のチャットフレーズの内に存在するか否かを判定する。
【０１２１】
第３のチャットフレーズが第１の端末機Ａのメッセンジャーチャットウィンドーの表示領域に表示されない場合に、第１の端末機Ａは、メッセンジャーチャットウィンドーの所定の領域（例えば、上側）に答弁フレーズの受信を示すアイコン８０１と答弁フレーズの受信個数８０２とを表示する。
【０１２２】
図１２において、答弁フレーズの受信を示すアイコン８０１が選択される場合に、図１３（Ｂ）に示すように、メッセンジャーチャットウィンドーの複数のチャットフレーズの内の第３のチャットフレーズが表示される位置領域に直接に移動し、第３のチャットフレーズ７０１と第３のチャットフレーズの下側に位置した答弁フレーズ７０２とをメッセンジャーチャットウィンドーに表示する。この時に、答弁フレーズのインデックス情報は、‘３−１’である。
【０１２３】
第３のチャットフレーズが第１の端末機Ａのメッセンジャーチャットウィンドーの現在の領域に表示されていない時に、‘答弁フレーズの表示’が‘ポップアップウィンドーの表示’として設定される場合に、図１２において答弁フレーズの受信を示すアイコン８０１が選択されると、図１３（Ａ）に示すように、個別のポップアップウィンドー８０３が表示される。
【０１２４】
第１の端末機Ａは、第３のチャットフレーズ７０１の前後のチャットフレーズ（図１３（Ｂ）の８０５）をキャプチャーし、第３のチャットフレーズ７０１、答弁フレーズ７０２、及び第３のチャットフレーズ７０１の前後のチャットフレーズを図１３（Ａ）のポップアップウィンドー８０３にともに表示する。
【０１２５】
‘移動’メニューがポップアップウィンドー８０３において選択される場合に、図１３（Ｂ）に示すように、第１の端末機Ａは、第３のチャットフレーズが表示される位置領域に移動し、第３のチャットフレーズ７０１と第３のチャットフレーズの下側に位置した答弁フレーズ７０２とを含む複数のチャットフレーズをメッセンジャーチャットウィンドーに表示する。
【０１２６】
‘次の答弁フレーズの表示’メニューがポップアップウィンドー８０３において選択される場合に、第１の端末機Ａは、読み出されなかった次の答弁フレーズと関連した特定のチャットフレーズ及び答弁フレーズをポップアップウィンドーに表示する。
【０１２７】
次いで、図１４乃至図１５（Ｂ）を参照して図８のようにメッセンジャーチャットウィンドーの複数のチャットフレーズの内から削除されているチャットフレーズに対する答弁フレーズを処理する動作について例を挙げて説明する。
【０１２８】
第１の端末機Ａが図１４のメッセンジャーチャットウィンドーを表示する時に、第２の端末機Ｂのメッセンジャー情報をサーバから受信する場合に、第１の端末機Ａは、メッセンジャー情報に含まれた答弁フレーズに基づいてメッセンジャー情報が特定のチャットフレーズに対する答弁フレーズであることを判定する。第１の端末機Ａは、メッセンジャー情報により第３のチャットフレーズ又は第３のチャットフレーズのインデックス情報に基づいて、同一のチャットフレーズ（すなわち、第３のチャットフレーズ）が自身のメッセンジャーチャットウィンドーに存在するか否かを判定する。
【０１２９】
しかしながら、メッセンジャーチャットウィンドーの複数のチャットフレーズの内に第３のチャットフレーズが存在しない場合に、図１５（Ａ）に示すように、第３のチャットフレーズ９０１及び答弁フレーズ９０２をメッセンジャー情報から検出し、これをメッセンジャーチャットウィンドーの最後の位置に表示する。端末機Ａは、第３のチャットフレーズ９０１がメッセンジャーチャットウィンドーの複数のチャットフレーズの内から削除されているチャットフレーズであることを表示し、また、答弁フレーズ９０２のインデックス情報を生成する。図１４に示すように、第１の端末機Ａにより入力され表示されるチャットフレーズの総数が４個であると仮定する場合に、この削除されている第３のチャットフレーズに対する答弁フレーズのインデックス情報は、入力される順序に従って‘５’となる。
【０１３０】
この答弁フレーズがユーザによりチェックされるか又は読み出されるので、第１の端末機Ａは、第３のチャットフレーズが削除されていることを示す特定の値‘１’を含む受信確認信号を第２の端末機Ｂに送信する。
【０１３１】
第２の端末機Ｂは、図１１（Ｂ）に示すように、第３のチャットフレーズの前後のチャットフレーズをキャプチャーすることにより得られたイメージ７０３を削除されているチャットフレーズの関連イメージとして第１の端末機Ａに送信する。
【０１３２】
その後に、第１の端末機Ａは、図１５（Ｂ）に示すように、第２の端末機Ｂから受信した削除されているチャットフレーズの関連イメージ７０３を個別のポップアップウィンドー９０３に表示する。
【０１３３】
本発明の実施形態による端末機のメッセンジャー制御装置及び方法は、非一時的なコンピュータにより読み取り可能な記憶媒体上においてコンピュータ読み取り可能なコードとして実現できる。非一時的なコンピュータにより読み取り可能な記憶媒体は、コンピュータにより読み取り可能なデータを記憶するすべての種類の記録装置を含んでよい。非一時的なコンピュータにより読み取り可能な記憶媒体の例としては、読出し専用メモリ（ＲＯＭ）、ランダムアクセスメモリ（ＲＡＭ）、光学ディスク、磁気テープ、フロッピー（登録商標）ディスク、ハードディスク、非揮発性メモリなどが含まれ、搬送波（例えば、インターネットを介した送信）の形態により実現できる。上記非一時的なコンピュータにより読み取り可能な記憶媒体は、ネットワーク結合型コンピュータシステムにわたって分散されることにより、コンピュータ読み取り可能なコードが分散形態により格納され実行される。
【０１３４】
以上、本発明を具体的な実施形態を参照して詳細に説明してきたが、本発明の範囲及び趣旨を逸脱することなく様々な変更が可能であることは、当業者には明らかであり、本発明の範囲は、上述の実施形態に限定されるべきではなく、特許請求の範囲の記載及びこれと均等なものの範囲内において定められるべきである。
【符号の説明】
【０１３５】
１１０    制御部
１２０  データ処理部
１２３  無線周波数（ＲＦ）部
１２５  オーディオ処理部
１２７  キー入力部
１３０    メモリ
１４０  カメラ部
１５０  画像処理部
１６０    ディスプレイ
４０１、７０１、９０１  チャットフレーズ
４０２、７０２、９０２  答弁フレーズ
４０３  新たなチャットフレーズ
７０３  イメージ
８０１  アイコン
８０２  答弁フレーズの受信個数
８０３、９０３  個別のポップアップウィンドー
【図１】
2014160467.tif 000003
【図２】
2014160467.tif 000004
【図３】
2014160467.tif 000005
【図４】
2014160467.tif 000006
【図５】
2014160467.tif 000007
【図６】
2014160467.tif 000008
【図７】
2014160467.tif 000009
【図８】
2014160467.tif 000010
【図９】
2014160467.tif 000011
【図１０】
2014160467.tif 000012
【図１１】
2014160467.tif 000013
【図１２】
2014160467.tif 000014
【図１３】
2014160467.tif 000015
【図１４】
2014160467.tif 000016
【図１５】
2014160467.tif 000017